(57)【要約】【課題】不織布シートに含浸させる洗浄剤に酸性水を用いることにより、肌のデリケートな乳幼児や肌の弱いお年寄りでも使用することができる清拭シートを提供することを課題とする。【解決手段】不織布シートに洗浄剤を含浸させた清拭シートにおいて、上記洗浄剤は、洗浄剤全体の割合を１００重量％としたときに、次亜塩素酸を含む酸性水を１００重量％の割合で含有することを特徴とする。【選択図】図１
2011000311.tif 000002
【特許請求の範囲】
【請求項１】
不織布シートに洗浄剤を含浸させた清拭シートにおいて、
上記洗浄剤は、洗浄剤全体の割合を１００重量％としたときに、次亜塩素酸を含む酸性水を１００重量％の割合で含有することを特徴とする清拭シート。
【請求項２】
不織布シートに洗浄剤を含浸させた清拭シートにおいて、
上記洗浄剤は、洗浄剤全体の割合を１００重量％としたときに、次亜塩素酸を含む酸性水を９９．５重量％以上、１００重量％未満の割合で含有するとともに、殺菌防腐剤を０．００１重量％以上、０．０２８重量％以下の割合で含有し、保湿剤を０．１重量％以上、０．４７２重量％以下の割合で含有することを特徴とする清拭シート。
【請求項３】
上記殺菌防腐剤が、パラオキシ安息香酸エステルおよび四級アンモニウム塩であることを特徴とする請求２に記載の清拭シート。
【請求項４】
上記保湿剤が、プロピレングリコールであることを特徴とする請求項２に記載の清拭シート。
【発明の詳細な説明】
【技術分野】
【０００１】
本発明は、不織布などの繊維シートに洗浄剤を含浸させた清拭シートに関するものである。
【背景技術】
【０００２】
従来から、汚れた手や顔または排泄後の乳幼児のお尻を拭く清拭シートとして、洗浄薬剤を含浸させた湿式の清拭シートが利用されていた。この湿式の清拭シートに含浸される洗浄剤は、清拭しやすいように水分の含有量を多くしているものが多い。そのため、含有される水に発生する雑菌を防止するために、殺菌剤や抗菌剤などを含有させ、雑菌の発生を抑えていた。また、直接肌に使用するものであることから、その使用感を向上させるために、ヒアルロン酸なのどの保湿成分を含有させていた。
【０００３】
しかし、手や顔または乳幼児のお尻などに直接使用する清拭シートは、肌に対する刺激を考えた場合に、上記洗浄薬剤に含有される殺菌剤や抗菌材または保湿成分の含有量を少なくし、肌に対する刺激を抑えたものが望まれる。特に、乳幼児のお尻や肌の弱いお年寄りが使用する場合には、刺激のある成分を極力少なくして、水のみを含浸させた清拭シートが望まれる。
【０００４】
そこで、下記特許文献においては、洗浄薬剤全体の割合に対して、水を９０重量％以上、９８．５重量％以下の割合で含有し、殺菌防腐剤を０．０３重量％以上、１重量％以下の割合で含有し、アルコール系保湿剤を０．５重量％以上、５重量％以下の割合で含有し、水溶性保湿剤を０．０５％以上、５重量％以下の割合で含有する洗浄薬剤を繊維シートに含浸させたものが提案されている。
【０００５】
この従来の清拭シートは、繊維シートに含浸させる洗浄薬剤全体の割合に対して、水を９０重量％以上、９８．５重量％以下の割合で含有させることにより、殺菌防腐剤やアルコール系保湿剤または水溶性保湿剤の含有割合を低くしている。これにより、肌に対する刺激を少なくすることができるため、薬物に敏感な肌の人や乳幼児にも利用することができるものとなっている。
【先行技術文献】
【特許文献】
【０００６】
【特許文献１】特開２００５−２９６２４０号公報
【発明の概要】
【０００７】
ところが、この従来の清拭シートは、洗浄薬剤に含有する水として蒸留水や精製水などを用いるため、雑菌などが発生しやすく、これを抑えるために、洗浄薬剤に水を９８．５重量％の割合まで含有させ、残りに殺菌防腐剤を含有させる必要がある。これにより、肌に対する刺激を完全に抑えることが出来ないという問題がある。
【０００８】
また清拭シートは、排泄後のお尻拭きとして乳幼児に頻繁に使用することが多く、洗浄薬剤に含有される殺菌防腐剤などの薬剤により、特にデリケートである乳幼児の肌がかぶれたり湿疹などを患う可能性があるため、使用に対しては細心の注意を払う必要があるという問題もある。
【０００９】
一方、洗浄薬剤に含有させるアルコール系保湿剤や水溶性保湿剤などの保湿成分は、一般の人が通常使用する際に、肌のべとつきなどを抑えることができ、使用感を向上させることができる。しかし、肌のデリケートな乳幼児や肌の弱いお年寄りなどには、肌のトラブルの原因になるという問題もある。
【００１０】
本発明は、かかる事情に鑑みてなされたもので、不織布シートに含浸させる洗浄剤に酸性水を用いることにより、肌のデリケートな乳幼児や肌の弱いお年寄りでも使用することができる清拭シートを提供することを課題とするものである。
【課題を解決するための手段】
【００１１】
上記課題を解決するために、請求項１に記載の発明は、不織布シートに洗浄剤を含浸させた清拭シートにおいて、上記洗浄剤は、洗浄剤全体の割合を１００重量％としたときに、次亜塩素酸を含む酸性水を１００重量％の割合で含有することを特徴とするものである。
【００１２】
また、請求項２に記載の発明は、不織布シートに洗浄剤を含浸させた清拭シートにおいて、上記洗浄剤は、洗浄剤全体の割合を１００重量％としたときに、次亜塩素酸を含む酸性水を９９．５重量％以上、１００重量％未満の割合で含有するとともに、殺菌防腐剤を０．００１重量％以上、０．０２８重量％以下の割合で含有し、保湿剤を０．１重量％以上、０．４７２重量％以下の割合で含有することを特徴とするものである。
【００１３】
そして、請求項３に記載の本発明は、請求項２に記載の清拭シートにおいて、上記殺菌防腐剤が、パラオキシ安息香酸エステルおよび四級アンモニウム塩であることを特徴とするものである。
【００１４】
さらに、請求項４に記載の本発明は、請求項２に記載の清拭シートにおいて、上記保湿剤が、プロピレングリコールであることを特徴とするものである。
【発明の効果】
【００１５】
請求項１に記載の本発明によれば、清拭シートに含浸させる洗浄剤全体の割合を１００重量％としたときに、次亜塩素酸を含む酸性水を１００重量％の割合で含有させるため、殺菌剤や抗菌材を含有させることなく、次亜塩素酸を含む酸性水により雑菌の発生を抑えることができる。この結果、肌に対する刺激を抑えることが出来るとともに、肌のデリケートな乳幼児や肌の弱いお年寄りに対しても、かぶれや湿疹などの肌トラブルを心配することなく使用することができる。
【００１６】
請求項２〜４のいずれかに記載の本発明によれば、清拭シートに含浸させる洗浄剤全体の割合を１００重量％としたときに、次亜塩素酸を含む酸性水を９９．５重量％以上、１００重量％未満の割合で含有するとともに、殺菌防腐剤を０．００１重量％以上、０．０３重量％以下の割合で含有し、保湿剤を０．１重量％以上、０．４７重量％以下の割合で含有させるため、清拭シートに含有させる洗浄剤に含まれる次亜塩素酸を含む酸性水により、殺菌防腐剤および保湿剤の含有量を微量にすることができる。これにより、肌に直接使用したとしても、肌に対する刺激を抑えることができ、肌のデリケートな乳幼児や肌の弱いお年寄りに対しても、好適に使用することができる。
【００１７】
また、上記殺菌防腐剤をパラオキシ安息香酸エステルおよび四級アンモニウム塩にするとともに、上記保湿剤をプロピレングリコールにするため、水に溶けにくい上記パラオキシ安息香酸エステルを、上記プロピレングリコールを含有させることにより乳化させることができる。この結果、水の含有量の多い洗浄剤においても、上記殺菌防腐剤のパラオキシ安息香酸エステルと上記保湿剤のプロピレングリコール保湿剤とを含有させることにより、相乗効果をもたらし微量でも効果を引き出すことができる。
【図面の簡単な説明】
【００１８】
【図１】オルガノ社製の電解水生成装置の概略図である。
【図２】カット野菜の洗浄時間における雑菌の残存菌率を示し、オルガノ社の無塩電解水（酸性水）と中和水との比較データである。
【図３】カット野菜の洗浄時間における雑菌の残存菌率を示し、オルガノ社の無塩電解水（酸性水）と他社の電解水との比較データである。
【図４】カット野菜の洗浄時間における雑菌の残存菌率を示し、オルガノ社の無塩電解水（酸性水）と次亜塩素酸（４０ｐｐｍ）との比較データである。
【図５】密閉状態において、保管されたオルガノ社の無塩電解水（酸性水）と他社の電解水とを長期保管した際の残留塩素量を比較した比較データである。
【図６】開放状態において、保管されたオルガノ社の無塩電解水（酸性水）と他社の電解水とを長期保管した際の残留塩素量を比較した比較データである。
【発明を実施するための形態】
【００１９】
以下、本発明の実施の形態を適用した清拭シートについて詳細を説明する。
【００２０】
（第１の実施形態）
本発明の第１の実施形態を適用した清拭シートは、不織布シートに洗浄剤を含浸させている。この洗浄剤は、洗浄剤全体の割合を１００重量％としたときに、次亜塩素酸を含む酸性水が１００重量％の割合で含有されている。また、次亜塩素酸を含む酸性水は、図１に示すオルガノ社製の電解水生成装置１を用いることにより生成される。このオルガノ社製の電解水生成装置１は、陽極用電極３ａを配した陽極室３と陰極用電極４ａを配した陰極室４と、この陽極室と陰極室との間に一対のイオン交換膜５により区分された中間室２とにより構成されている。
【００２１】
そして、陽極室３と陰極室４および中間室２とに原水を供給する。このとき、中間室２のみに塩化ナトリウム（ＮａＣｌ）を添加する。そして、陽極用電極３ａと陰極用電極４ａとを通電させることにより、中間室２から塩化ナトリウム（ＮａＣｌ）の陽イオンが陽極室３側に、陰イオンが陰極室４側にそれぞれ中間室２を隔離している一対のイオン交換膜５を透過し抽出され、陽極室３および陰極室４においてそれぞれ化学反応が起こる。これにより、陽極室３側に次亜塩素酸（ＨＣｌＯ）を多く含む無塩電解水（酸性水）を得ることができる。また、陰極室４側には、無鉛アルカリ水を得ることができる。尚、一対のイオン交換膜５により隔離された中間室２を設けることにより、陽極室３および陰極室４には、余剰の塩化ナトリウム（ＮａＣｌ）が含まれることがない。これにより、無塩酸性水および無塩アルカリ水を得ることができる。
【００２２】
また、電解水生成装置１により生成された次亜塩素酸を含む無塩電解水（酸性水）の殺菌力は、図２〜４に示すオルガノ社の実験データにより立証されている。この実験データは、カット野菜の洗浄時間における雑菌の残存菌率を示すものである。図２は、オルガノ社製の電解水生成装置１から生成された無塩電解水（酸性水）と、中和水とを比較したデータを示し、洗浄開始から５分経過した時点において、オルガノ社の上記無塩電解水（酸性水）の残存菌数の割合は一気に減少し、１０分を経過すると残存菌数の割合は、約２〜３％程度になるのに対して、中和水では、１０分を経過しても、残存菌数の割合が半分ほどである。
【００２３】
そして図３は、他社（Ａ社）の電解水とを比較したデータを示し、洗浄時間が５分を経過した時点において、オルガノ社の上記無塩電解水（酸性水）の残存菌数の割合が１０％なのに対して、他社（Ａ社）の電解水の残存菌数の割合が３０％である。さらに、１０分経過した時点においては、上記無塩電解水（酸性水）の残存菌数の割合が約２〜３％程度であるのに対して、他社（Ａ社）の電解水の残存菌数の割合は、１１％である。
【００２４】
さらに図４は、次亜塩素酸（４０ｐｐｍ）とを比較したデータを示し、オルガノ社の上記無塩電解水（酸性水）が、５分を経過した時点において、残存菌数が１０％程度になり、さらに１０分経過した時点では、残存菌数の割合が約２〜３％程度に減少するのに対して、次亜塩素酸（４０ｐｐｍ）は、５分経過した時点で残存菌数が約半分に減少するものの、その後も残存菌数の減少は見られない。
【００２５】
以上の実験データにより、オルガノ社の上記無塩電解水（酸性水）の殺菌力が顕著であることが分かる。これにより、上記無塩電解水（酸性水）を不織布シートに含浸させた本願発明の清拭シートに用いた場合においても、同様の効果が得られるものである。
【００２６】
また、オルガノ社の上記無塩電解水（酸性水）は、有効塩素（次亜塩素酸）が残留する時間が長く、殺菌力を長期期間維持することができる。これは、オルガノ社が実験したデータを示した図５および図６により立証されている。図５は、外気と遮断された密閉状態において、保管されたオルガノ社の上記無塩電解水（酸性水）と他社の電解水とを長期保管した際の残留塩素量を比較したもである。この比較データによると保管期間が４０日を経過した時点において、他社の電解水に含まれる残留塩素量の初期値が３０ｐｐｍであったものが、１５ｐｐｍに減少したのに対して、オルガノ社の上記無塩電解水（酸性水）は、初期値が約３２ｐｐｍであったものが、２８ｐｐｍと減少する量が少ないことが分かる。
【００２７】
そして図６は、外気に晒された開放状態において、保管されたオルガノ社の上記無塩電解水（酸性水）と他社の電解水とを長期保管した際の残留塩素量を比較したもである。この実験データによると保管期間が４０日を経過した時点において、他社の電解水に含まれる残留塩素量の初期値が３０ｐｐｍであったものが、略０ｐｐｍに減少したのに対して、オルガノ社の上記無塩電解水（酸性水）は、初期値が約３２ｐｐｍであったものが、約１３ｐｐｍと、外気に晒された状態で保管されていても、有効塩素（次亜塩素酸）が残留することが分かる。
【００２８】
以上のことから、オルガノ社の上記無塩電解水（酸性水）を本願発明の清拭シートに含浸させることにより、軟質包装材に密封されて長期間保管したとしても、殺菌力が衰えることなく、維持することができるとともに、使用に際して、上記軟質包装材を外気に晒した場合でも、使用期間により有効塩素が減少するものの、完全に無くなることがない。これにより、上記無塩電解水（酸性水）のみを含有させることにより、好適に使用することができる。
【００２９】
さらに、上述の第１の実施形態による清拭シートによれば、清拭シートに含浸させる洗浄剤全体の割合を１００重量％としたときに、次亜塩素酸を含む酸性水を１００重量％の割合で含有させるため、殺菌剤や抗菌材を含有させることなく、次亜塩素酸を含む酸性水により雑菌の発生を抑えることができる。この結果、肌に対する刺激を抑えることが出来るとともに、肌のデリケートな乳幼児や肌の弱いお年寄りに対しても、かぶれや湿疹などの肌トラブルを心配することなく使用することができる。
【００３０】
（第２の実施形態）
本発明の第２の実施形態を適用した清拭シートは、不織布シートに洗浄剤が含浸されている。この洗浄剤は、洗浄剤全体の割合を１００重量％としたときに、次亜塩素酸を含む酸性水を９９．５重量％以上、１００重量％未満の割合で含有するとともに、殺菌防腐剤を０．００１重量％以上、０．０３重量％以下の割合で含有し、保湿剤を０．１重量％以上、０．４７重量％以下の割合で含有するものである。また、次亜塩素酸を含む酸性水は、第１の実施形態と同様に、オルガノ社製の電解水生成装置１を用いることにより生成されるものである。したがって、図２〜６に示した実験データにより立証された効果は、第２の実施形態に用いる次亜塩素酸を含む酸性水も同様に言えるものである。
【００３１】
また、上記殺菌防腐剤は、パラオキシ安息香酸エステルおよび四級アンモニウム塩である。このパラオキシ安息香酸エステルは、パラオキシ安息香酸メチル、パラオキシ安息香酸エチル、パラオキシ安息香酸プロピルの３種からなり、主に防腐剤および乳化剤として使用されている。また、当該四級アンモニウム塩は、主に殺菌剤として含有されている。そして、これらの成分は、上記洗浄剤全体の割合を１００重量％としたときに、次亜塩素酸を含む酸性水を９９．５重量％の割合で含有させた際の含有割合は、パラオキシ安息香酸エステル全体の割合が０．０２３重量％ととなり、その内訳はパラオキシ安息香酸メチル０．０１３８重量％、パラオキシ安息香酸エチルが０．００４６重量％、パラオキシ安息香酸プロピルが０．００４６重量％の割合である。また、四級アンモニウム塩が０．００５重量％の割合で含有されている。
【００３２】
さらに、上記保湿剤は、プロピレングリコールである。このプロピレングリコールは、主に保湿剤として使用されるとともに、水に溶けにくい上記パラオキシ安息香酸エステルの乳化剤として使用される。また、プロピレングリコールは、上記洗浄剤全体の割合を１００重量％としたときに、次亜塩素酸を含む酸性水を９９．５重量％の割合で含有させた際の含有割合は、０．４７重量％になる。
【００３３】
また、上述の第２の実施形態による清拭シートによれば、清拭シートに含浸させる洗浄剤全体の割合を１００重量％としたときに、次亜塩素酸を含む酸性水を９９．５重量％以上、１００重量％未満の割合で含有するとともに、殺菌防腐剤を０．００１重量％以上、０．０３重量％以下の割合で含有し、保湿剤を０．１重量％以上、０．４７重量％以下の割合で含有させるため、清拭シートに含浸させる洗浄剤に含まれる次亜塩素酸を含む酸性水により、殺菌防腐剤および保湿剤の含有量を微量にすることができる。これにより、肌に直接使用したとしても、肌に対する刺激を抑えることができ、肌のデリケートな乳幼児や肌の弱いお年寄りに対しても、好適に使用することができる。
【００３４】
そして、上記殺菌防腐剤をパラオキシ安息香酸エステルおよび四級アンモニウム塩にするとともに、上記保湿剤をプロピレングリコールにするため、水に溶けにくい上記パラオキシ安息香酸エステルを、上記プロピレングリコールを含有させることにより乳化させることができる。この結果、水の含有量の多い洗浄剤においても、上記殺菌防腐剤のパラオキシ安息香酸エステルと上記保湿剤のプロピレングリコール保湿剤とを含有させることにより、相乗効果をもたらし微量でも効果を引き出すことができる。
【００３５】
なお、上記第２の実施形態において、保湿剤をプロピレングリコールを用いる場合のみ説明したが、これに限定されるものではなく、例えば、ヒアルロン酸なのどの保湿剤を含有させても対応可能である。また、洗浄剤を含有した清拭シートとして、手や顔または乳幼児のお尻拭きに使用するものとして説明したが、これに限定されるものではなく、例えば、トイレの便座やダイニングテーブルなどの什器などにも使用することが可能である。
【産業上の利用可能性】
【００３６】
汚れた手や顔または乳幼児のお尻拭きとして利用することができる。
【符号の説明】
【００３７】
１  電解水生成装置（オルガノ社製）
２  中間室
３  陽極室
３ａ  陽極用電極
４  陰極側
４ａ  陰極用電極
５  イオン交換膜
【図１】
2011000311.tif 000003
【図２】
2011000311.tif 000004
【図３】
2011000311.tif 000005
【図４】
2011000311.tif 000006
【図５】
2011000311.tif 000007
【図６】
2011000311.tif 000008